(57)【要約】【課題】屋根から地上への物体の落下をより確実に規制することができ、しかも、屋根への設置を簡単にすること。【解決手段】本発明に係る落下防止具１０は、可撓性を有して物体を受け止める部分となる平面状の本体１１と、本体１１を横切る方向に延びるように本体１１に取り付けられた線状部材１２とを備えている。この線状部材１２は、本体１１の一部を屋根面Ｒ１に押さえ付け可能となる重量の部材により構成されており、その両端側が本体１１に固定され、本体１１の端縁部分よりも内側に配置される。【選択図】          図２
2013007197.tif 000002
【特許請求の範囲】
【請求項１】
屋根上での作業時に屋根の軒側部分に設置され、当該屋根からの物体の落下を防止する落下防止具において、
可撓性を有し、前記物体を受け止める部分となる平面状の本体と、当該本体を横切る方向に延びるように前記本体に取り付けられた線状部材とを備え、
前記線状部材は、前記本体の一部を屋根面に押さえ付け可能となる重量の部材からなることを特徴とする屋根作業時の落下防止具。
【請求項２】
前記線状部材は、その両端側が前記本体に固定され、前記本体の端縁部分よりも内側に配置されることを特徴とする請求項１記載の落下防止具。
【請求項３】
請求項１又は２記載の落下防止具を屋根に設置する方法であって、
前記落下防止具を支持可能な支持具を屋根の横方向に沿って複数箇所に固定し、
前記線状部材が軒に沿って延び、且つ、当該線状部材が軒に最も近づく向きで前記本体を屋根面に配置するとともに、棟側に位置する前記本体の端部の複数箇所を、前記屋根面よりも高い位置で前記支持具に固定することを特徴とする落下防止具の設置方法。
【発明の詳細な説明】
【技術分野】
【０００１】
本発明は落下防止具及びその設置方法に係り、更に詳しくは、作業者が、屋根上での作業時に誤って工具等の器具や部品等を屋根に落としたときに、これら器具や部品が地上に落下することを阻止するための落下防止具及びその設置方法に関する。
【背景技術】
【０００２】
特許文献１には、屋根上で作業する作業者の落下を防止するために、軒先に沿って網体が起立した状態で設置される落下防止具が開示されている。この落下防止具は、屋根上の軒先に沿って複数箇所で起立配置される支持体と、各支持体間に引っ掛けて張設される網体と、各支持体を野地板に固定するための線条部材とを備えて構成されている。当該落下防止具は、次のようにして屋根に設置される。先ず、支持体の一端側を軒樋受に嵌め込むことで、支持体を軒先に沿って複数本起立させる。次に、網体の下端側を軒樋受に引っ掛けるとともに、網体の上端側を支持体の上端側のフックに引っ掛け、網体を支持体間でピンと張った状態にする。最後に、各支持体に、線条部材の一端側をそれぞれ取り付け、線条部材の他端側を野地板に釘で固定する。
【先行技術文献】
【特許文献】
【０００３】
【特許文献１】特開平７−３００９６０号公報
【発明の概要】
【発明が解決しようとする課題】
【０００４】
しかしながら、特許文献１の落下防止具にあっては、軒先に沿って起立配置された複数の支持体間に、柔軟な網体をピンと張った状態で配置しなければならず、このためには、多くの本数の支持体の設置が必要になり、取り付けに手間と時間がかかるという不都合がある。また、網体の下端側は、軒樋受に引っ掛かっているのみであるので、何かの外力等で網体の下端側の一部分が軒樋受から外れた場合、そこが開放部分となってしまう。従って、作業者が誤って屋根に物体を落とし、当該物体が屋根の傾斜で軒先側に移動したときには、前記開放部分から物体が地上に落下する虞がある。また、支持体は、その一端側が軒樋受に嵌め込まれているため、作業者が誤って網体を踏んでしまったときなど、支持体や網体に外力が作用すると、支持体が外れ易くなるばかりか、軒樋部分の破損を招来する虞がある。
【０００５】
本発明は、このような課題に着目して案出されたものであり、その目的は、屋根から地上への物体の落下をより確実に規制することができ、しかも、屋根に簡単に設置することができる落下防止具及びその設置方法を提供することにある。
【課題を解決するための手段】
【０００６】
（１）前記目的を達成するため、本発明は、屋根上での作業時に屋根の軒側部分に設置され、当該屋根からの物体の落下を防止する落下防止具において、
可撓性を有し、前記物体を受け止める部分となる平面状の本体と、当該本体を横切る方向に延びるように前記本体に取り付けられた線状部材とを備え、
前記線状部材は、前記本体の一部を屋根面に押さえ付け可能となる重量の部材からなる、という構成を採っている。
【０００７】
（２）また、前記線状部材は、その両端側が前記本体に固定され、前記本体の端縁部分よりも内側に配置される、という構成を採ることが好ましい。
【０００８】
（３）更に、本発明は、前記落下防止具を支持可能な支持具を屋根の横方向に沿って複数箇所に固定し、
前記線状部材が軒に沿って延び、且つ、当該線状部材が軒に最も近づく向きで前記本体を屋根面に配置するとともに、棟側に位置する前記本体の端部の複数箇所を、前記屋根面よりも高い位置で前記支持具に固定する、という手法を採っている。
【０００９】
なお、本明細書及び本特許請求の範囲において、特に明示しない限り、「屋根の横方向」は、屋根の軒に沿う方向を意味する。
【発明の効果】
【００１０】
本発明によれば、本体の端部のうち軒側に位置する部分を線状部材で押さえた状態で、棟側に位置する本体の部分を屋根面よりも高い位置で支持具によって固定することで、落下防止具が屋根に設置される。この設置状態では、屋根上で作業する作業員が誤って工具や部品等の物体を屋根に落とし、当該物体が屋根の傾斜によって軒側に移動して本体に絡まったときに、本体の軒側部分が線状部材で屋根面に押さえ付けられていることから、本体が袋状に軒側に張り出すことになる。そして、軒側に達した物体は、本体で受け止められ、屋根からの落下が規制される。従って、本体がある程度弛んだ状態であっても、落下物を本体で絡め取ることが可能になることから、支持具の設置本数を少なくすることができ、落下防止具を簡単に且つ短時間で設置可能となる。また、本体に弛みをもたせた状態で落下防止具を設置できるため、作業者が誤って本体を踏んでも、支持具が屋根から外れる虞を少なくすることができ、屋根からの物体の落下防止効果を維持することができる。更に、樋等の屋根の周辺部材を使って落下防止具を固定する必要がないため、落下防止具の設置による屋根の周辺部材の破損を防止することができる。
【００１１】
特に、前記（２）のように構成することで、落下防止具の設置状態で、本体の一部が軒から垂下することを規制することができ、より確実に落下物を屋根上で受け止めることが可能になる。
【図面の簡単な説明】
【００１２】
【図１】本実施形態に係る落下防止具の概略平面図。
【図２】前記落下防止具の設置状態を表す概略斜視図。
【発明を実施するための形態】
【００１３】
以下、本発明の実施形態について図面を参照しながら説明する。
【００１４】
図１には、本実施形態に係る落下防止具の概略平面図が示され、図２には、前記落下防止具が屋根に設置された状態を表す概略斜視図が示されている。これらの図において、前記落下防止具１０は、屋根Ｒ上で作業している作業者（図示省略）が工具等の器具や部品等の物体を屋根Ｒに落としたときに、屋根Ｒの傾斜によって地上に落下することを阻止するための安全器具である。この落下防止具１０は、可撓性を有する平面状の本体１１と、当該本体１１に取り付けられた線状部材１２とを備えて構成されている。
【００１５】
前記本体１１は、図１中左右方向に延びる帯状をなし、地上に落下しようとする物体を受け止め可能なサイズに設けられている。この本体１１は、平面視ほぼ長方形状をなすネット１４と、ネット１４に取り付けられてネット１４を支持するロープ１６とにより構成されている。前記ネット１４は、想定される落下物を通過させない程度の大きさの網目を有している。前記ロープ１６は、ネット１４の周縁部分に沿ってネット１４に取り付けられた外枠部分１８と、外枠部分１８の図１中左右両側に接続され、ネット１４を横切るように本体１１の長手方向に延びる内側直線部分１９とからなる。
【００１６】
なお、本体１１の形状、構成部材及びそれらの配置は、特に限定されるものではなく、後述する作用を奏する可撓性を有し、落下物を受け止めることができる限りにおいて、種々のものを採用することもできる。例えば、ネット１４に替えて、シート状部材を採用することもできる。
【００１７】
前記線状部材１２は、金属製のチェーンにより構成されており、本体１１の一部分を屋根面Ｒ１に押さえ付け可能に設けられている。当該線状部材１２は、その両端側が外枠部分１８の図１中左右両側に接続されており、当該接続部分を支点として、本体１１に対して変位可能となっている。また、線状部材１２は、図１中下側に位置する本体１１の端縁よりもやや内側となる位置で、本体１１の長手方向に沿って延びるように配置されている。ここで、線状部材１２が外枠部分１８に接続される位置は、落下防止具１０を屋根に設置したときに、線状部材１２の重みで本体１１の端部が軒Ｅから垂下しないように設定される。なお、線状部材１１は、金属製のチェーンに限定されず、想定される落下物を本体１１で受け止められるように、本体１１の一部を屋根面Ｒ１に押さえ付け可能となる重量を有する部材であれば何でも良い。
【００１８】
次に、前記落下防止具１０を屋根Ｒに設置する方法について説明する。
【００１９】
ここでは、前記落下防止具１０を支持して屋根に取り付ける支持具３０が用いられる。この支持具３０は、屋根Ｒに固定して落下防止具１０を支持できる器具であれば何でも良く、例えば、本出願人らが提案した登録実用新案第３１６２６２５号公報に開示された安全金具を適用することができる。
【００２０】
前記支持具３０は、図２に示されるように、屋根面Ｒ１に固定されるベース３１と、当該ベース３１に対して起立配置された支柱３２と、当該支柱３２の先端側部分に係わり合う一対のナット３４，３４とを備えている。
【００２１】
先ず、支持具３０が屋根Ｒの横方向に沿って複数箇所に固定される。例えば、支持具３０は、屋根Ｒの軒Ｅ寄りの位置で、屋根Ｒの横方向両端側１箇所ずつと、それらのほぼ中間となる１箇所の合計３箇所に配置される。そして、これら各支持具３０は、屋根Ｒの野地板（図示省略）にベース３１をビス等で固定することにより、屋根Ｒに取り付けられる。
【００２２】
次に、ベース３１から起立した支柱３２の先端部分に、一方のナット３４が嵌め込まれた状態から、当該先端部分に、ネット１４の図１中上端側に位置する網目を通した上で、他方のナット３４が嵌め込まれる。これによって、ネット１４は、図１中上端側の左右中央の三箇所部分が、支柱３２に絡んだ状態で一対のナット３４，３４の間に挟み込まれ、落下防止具１０が屋根Ｒに固定されることになる。この際、落下防止具１０は、線状部材１２が、軒Ｅに最も近づき、且つ、軒Ｅに沿って延びる向きで屋根Ｒに配置される。
【００２３】
以上の手順で屋根Ｒに設置された落下防止具１０は、ネット１４の図１中上端側が、屋根面Ｒ１よりも高い位置、つまり、支持具３０の支柱３２の高さにほぼ相当するに高さ位置に固定される。また、ネット１４の線状部材１２付近の領域が、当該線状部材１２によって屋根面Ｒ１に押さえ付けられた状態となる。従って、この設置状態で、屋根Ｅの棟側（図示省略）で工具等の器具や部品等の物体が落とされ、当該物体が軒Ｅ側に転がってネット１４に引っ掛かると、ネット１４が、線状部材１２の周囲の本体１１の部分が屋根Ｒに押さえ付けられた状態で、本体１１が袋状に展開し、物体がネット１４で絡め取られ、当該物体の軒下への落下が阻止されることになる。
【００２４】
従って、このような実施形態によれば、ネット１４を弛み無く張った状態で屋根Ｒに設置する必要がなく、落下防止具１０の設置を簡単且つ短時間に行うことができるという効果を得る。
【００２５】
その他、本発明における構成要素は図示構成例に限定されるものではなく、実質的に同様の作用を奏する限りにおいて、種々の変更が可能である。
【符号の説明】
【００２６】
１０  落下防止具
１１  本体
１２  線状部材
３０  支持具
Ｅ  軒
Ｒ  屋根
Ｒ１  屋根面
【図１】
2013007197.tif 000003
【図２】
2013007197.tif 000004